【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
第１の本体部分および第２の本体部分を有するゴルフクラブヘッドであって、第１の本体部分は幾何学フェース中心を含む前面フェースを有し、クラブヘッド本体の重心が上記幾何学フェース中心の少なくとも５ｍｍ下方にあることを特徴とするゴルフクラブヘッド。
【請求項２】
クラウン部およびソール部の間に配された前面フェースを有する第１の本体部分であって、上記前面フェースは幾何学フェース中心および最大反発係数の点を含み、
上記前面フェースは上記クラウン部から上記ソール部への勾配でその厚さを増大させ、
当該クラブヘッドの重心が上記幾何学フェース中心より少なくとも６ｍｍ下方にあることを特徴とするゴルフクラブヘッド。
【請求項３】
所定の密度の第２の材料からなる第２の本体部分を含み、上記第１の本体部分は上記第２の材料より大きな密度の第１の材料からなる請求項２記載のゴルフクラブヘッド。
【請求項４】
第１の本体部分は鍛造により製造される請求項２記載のゴルフクラブヘッド。
【請求項５】
第１の本体部分はシートメタルで製造される請求項２記載のゴルフクラブヘッド。
【請求項６】
上記反発係数が最大となる点は、上記幾何学フェース中心を含む垂直平面の近くに位置する請求項２記載のゴルフクラブヘッド。
【請求項７】
厚さがコンスタントでない前面フェースを含む、第１の本体部分と、
低密度のクラウン部を具備する第２の本体部分とを有し、
打ち出し角度に対するスピンレートの比がロボットによるテストの条件下で幾何学フェース中心において約２７５未満であることを特徴とするゴルフクラブヘッド。
【請求項８】
上記打ち出し角度に対するスピンレートの比が約２５０未満である請求項７記載のゴルフクラブヘッド。
【請求項９】
約上記幾何学フェース中心位置またはその上方にスイートスポットを有する請求項７記載のゴルフクラブヘッド。
【請求項１０】
少なくともフェース部分およびソール部分を構成し第１の密度の第１の材料からなる第１の本体部分と、
少なくともクラウン部の大部分を構成し上記第１の未知度より小さな第２の密度の第２の金属からなる第２の本体部分と、
上記クラウン部の上方に伸び、上記第１の密度より大きくない密度の材料からなるホーゼル部材とを有することを特徴とするゴルフクラブヘッド。
【請求項１１】
前面フェースにおいて反発係数が最大となる点が上記幾何学フェース中心の下方約２ｍｍより高くない請求項１または１０記載のゴルフクラブヘッド。
【請求項１２】
前面フェースにおいて反発係数が最大となる点が上記幾何学フェース中心の下方約５ｍｍより高くない請求項１または１０記載のゴルフクラブヘッド。
【請求項１３】
上記第１の本体部分は所定の密度の第１の材料からなり、上記第２の本体部分は上記第１の材料より密度が小さい第２の材料からなる請求項１または１０記載のゴルフクラブヘッド。
【請求項１４】
上記クラブヘッドの最大反発係数が０．８０より大きい請求項１、２または１０記載のゴルフクラブヘッド。
【請求項１５】
上記前面フェースの厚さはソール部位置のほうがクラウン部位置より大きい請求項１または１０記載のゴルフクラブヘッド。
【請求項１６】
上記フェースと離れた配置で高密度の重み部材がソール部と一体となる請求項１、２または１０記載のゴルフクラブヘッド。
【手続補正２】
【補正対象書類名】明細書
【補正対象項目名】００３６
【補正方法】変更
【補正の内容】
【００３６】
代替的には、この発明のクラブは、より小さなフェアーウェイウッドとしても使用できる。これは約１５０ｃｃほどの小さな容量を有してもよい。好ましくは、この発明のクラブヘッドの重量は１５０グラムより大きいが、３００グラムより小さい。この発明の設計思想からフェアーウェイウッドが製造できることは容易に理解できる。そのようなウッドは、ステンレス鋼のような金属からなる第１の本体部分と、チタンのようなより小さな密度の金属からなる第２の本体部分（実質的にはクラウンおよびスカート部）と、第２の本体部分より密度が大きくないホーゼル部材とから構成できる。
なお、以上に開示された技術内容をまとめると以下のとおりである。
技術的特徴１：
第１の本体部分および第２の本体部分を有するゴルフクラブヘッドであって、第１の本体部分は幾何学フェース中心を含む前面フェースを有し、クラブヘッド本体の重心が上記幾何学フェース中心の少なくとも５ｍｍ下方にあることを特徴とするゴルフクラブヘッド。
技術的特徴２：
前面フェースにおいて反発係数が最大となる点が上記幾何学フェース中心の下方約２ｍｍより高くない技術的特徴１記載のゴルフクラブヘッド。
技術的特徴３：
前面フェースにおいて反発係数が最大となる点が上記幾何学フェース中心の下方約５ｍｍより高くない技術的特徴１記載のゴルフクラブヘッド。
技術的特徴４：
上記反発係数が最大となる点は幾何学的に中心に合わされている技術的特徴２記載のゴルフクラブヘッド。
技術的特徴５：
上記第１の本体部分は所定の密度の第１の材料からなり、上記第２の本体部分は上記第１の材料より密度が小さい第２の材料からなる技術的特徴１記載のゴルフクラブヘッド。
技術的特徴６：
上記第２の本体部分が少なくともクラウン部と、周辺部のほとんどの部分を構成する技術的特徴５記載のゴルフクラブヘッド。
技術的特徴７：
上記第２の本体部分の密度が約０．１ｇ／ｃｃから約４．０ｇ／ｃｃである技術的特徴５記載のゴルフクラブヘッド。
技術的特徴８：
上記第１の材料がチタン合金であり、上記第２の材料が金属、または、複合材、または熱可塑性材料である技術的特徴５記載のゴルフクラブヘッド。
技術的特徴９：
上記第２の材料がマグネシウムである技術的特徴９記載のゴルフクラブヘッド。
技術的特徴１０：
上記第１の材料がステンレス鋼合金であり、上記第２の材料が金属、または、複合材、または熱可塑性材料である技術的特徴５記載のゴルフクラブヘッド。
技術的特徴１１：
上記第２の材料がチタン合金である技術的特徴１０記載のゴルフクラブヘッド。
技術的特徴１２：
上記第２の本体部分は注型、モールディング、フォーミング、射出成型、またはプリプレグシ−ト製法により製造される技術的特徴５記載のゴルフクラブヘッド。
技術的特徴１３：
第１の本体部分は鍛造により製造される技術的特徴５記載のゴルフクラブヘッド。
技術的特徴１４：
第１の本体部分はシートメタルで製造される技術的特徴５記載のゴルフクラブヘッド。
技術的特徴１５：
上記第１の本体部分は注型で製造される技術的特徴５記載のゴルフクラブヘッド。
技術的特徴１６：
上記クラブヘッドの最大反発係数が０．８０より大きい技術的特徴１記載のゴルフクラブヘッド。
技術的特徴１７：
上記反発係数が最大となる点は、上記幾何学フェース中心を含む垂直平面の近くに位置する技術的特徴２記載のゴルフクラブヘッド。
技術的特徴１８：
上記前面フェースの厚さはソール部位置のほうがクラウン部位置より大きい技術的特徴１記載のゴルフクラブヘッド。
技術的特徴１９：
上記フェースと離れた配置で高密度の重み部材がソール部と一体となる技術的特徴１記載のゴルフクラブヘッド。
技術的特徴２０：
上記高密度の重み部材は、全ヘッド重量の約１５％から約２５％を占める技術的特徴１９記載のゴルフクラブヘッド。
技術的特徴２１：
クラウン部およびソール部の間に配された前面フェースを有する第１の本体部分であって、上記前面フェースは幾何学フェース中心および最大反発係数の点を含み、
上記前面フェースは上記クラウン部から上記ソール部への勾配でその厚さを増大させ、
当該クラブヘッドの重心が上記幾何学フェース中心より少なくとも６ｍｍ下方にあることを特徴とするゴルフクラブヘッド。
技術的特徴２２：
所定の密度の第２の材料からなる第２の本体部分を含み、上記第１の本体部分は上記第２の材料より大きな密度の第１の材料からなる技術的特徴２１記載のゴルフクラブヘッド。
技術的特徴２３：
上記第２の本体部分は少なくともクラウン部とスカート部の大部分とを構成する技術的特徴２２記載のゴルフクラブヘッド。
技術的特徴２４：
上記第２の本体部分の密度は約０．１ｇ／ｃｃから約４．０ｇ／ｃｃである技術的特徴２２記載のゴルフクラブヘッド。
技術的特徴２５：
上記第１の材料はチタン合金またはステンレス鋼合金であり、上記第２の材料はマグネシウムである技術的特徴２２記載のゴルフクラブヘッド。
技術的特徴２６：
上記第１の材料はチタン合金またはステンレス鋼合金であり、上記第２の材料はアルミニウムまたは黒鉛複合材または熱可塑性材料である技術的特徴２２記載のゴルフクラブヘッド。
技術的特徴２７：
上記第２の本体部分は注型、モールディング、フォーミング、射出成型、またはプリプレグシ−ト製法により製造される技術的特徴２２記載のゴルフクラブヘッド。
技術的特徴２８：
第１の本体部分は鍛造により製造される技術的特徴２１記載のゴルフクラブヘッド。
技術的特徴２９：
第１の本体部分はシートメタルで製造される技術的特徴２１記載のゴルフクラブヘッド。
技術的特徴３０：
上記反発係数が最大となる点は、上記幾何学フェース中心を含む垂直平面の近くに位置する技術的特徴２１記載のゴルフクラブヘッド。
技術的特徴３１：
上記クラブヘッドの最大反発係数が０．８０より大きい技術的特徴２１記載のゴルフクラブヘッド。
技術的特徴３２：
上記フェースと離れた配置で高密度の重み部材がソール部と一体となる技術的特徴１記載のゴルフクラブヘッド。
技術的特徴３３：
上記重み部材はタングステンまたはモリブデンを含む技術的特徴３２記載のゴルフクラブヘッド。
技術的特徴３４：
厚さがコンスタントでない前面フェースを含む、第１の本体部分と、
低密度のクラウン部を具備する第２の本体部分とを有し、
打ち出し角度に対するスピンレートの比がロボットによるテストの条件下で幾何学フェース中心において約２７５未満であることを特徴とするゴルフクラブヘッド。
技術的特徴３５：
上記打ち出し角度に対するスピンレートの比が約２５０未満である技術的特徴３４記載のゴルフクラブヘッド。
技術的特徴３６：
約上記幾何学フェース中心位置またはその上方にスイートスポットを有する技術的特徴３４記載のゴルフクラブヘッド。
技術的特徴３７：
少なくともフェース部分およびソール部分を構成し第１の密度の第１の材料からなる第１の本体部分と、
少なくともクラウン部の大部分を構成し上記第１の未知度より小さな第２の密度の第２の金属からなる第２の本体部分と、
上記クラウン部の上方に伸び、上記第１の密度より大きくない密度の材料からなるホーゼル部材とを有することを特徴とするゴルフクラブヘッド。
技術的特徴３８：
前面フェースにおいて反発係数が最大となる点が上記幾何学フェース中心の下方約２ｍｍより高くない技術的特徴３７記載のゴルフクラブヘッド。
技術的特徴３９：
前面フェースにおいて反発係数が最大となる点が上記幾何学フェース中心の下方約５ｍｍより高くない技術的特徴３７記載のゴルフクラブヘッド。
技術的特徴４０：
上記反発係数が最大となる点は幾何学的に中心に合わされている技術的特徴３８記載のゴルフクラブヘッド。
技術的特徴４１：
上記第１の本体部分は所定の密度の第１の材料からなり、上記第２の本体部分は上記第１の材料より密度が小さい第２の材料からなる技術的特徴３７記載のゴルフクラブヘッド。
技術的特徴４２：
上記第２の本体部分が少なくともクラウン部と、周辺部のほとんどの部分を構成する技術的特徴４１記載のゴルフクラブヘッド。
技術的特徴４３：
上記第２の本体部分の密度が約０．１ｇ／ｃｃから約４．０ｇ／ｃｃである技術的特徴４１記載のゴルフクラブヘッド。
技術的特徴４４：
上記第１の材料がチタン合金であり、上記第２の材料が金属、または、複合材、または熱可塑性材料である技術的特徴４１記載のゴルフクラブヘッド。
技術的特徴４５：
上記第２の材料がマグネシウムである技術的特徴４４記載のゴルフクラブヘッド。
技術的特徴４６：
上記第１の材料がステンレス鋼合金であり、上記第２の材料が金属、または、複合材、または熱可塑性材料である技術的特徴４１記載のゴルフクラブヘッド。
技術的特徴４７：
上記第２の材料がチタン合金である技術的特徴４６記載のゴルフクラブヘッド。
技術的特徴４８：
上記第２の本体部分は注型、モールディング、フォーミング、射出成型、またはプリプレグシ−ト製法により製造される技術的特徴４１記載のゴルフクラブヘッド。
技術的特徴４９：
第１の本体部分は鍛造により製造される技術的特徴４１記載のゴルフクラブヘッド。
技術的特徴５０：
第１の本体部分はシートメタルで製造される技術的特徴４１記載のゴルフクラブヘッド。
技術的特徴５１：
上記第１の本体部分は注型で製造される技術的特徴４１記載のゴルフクラブヘッド。
技術的特徴５２：
上記クラブヘッドの最大反発係数が０．８０より大きい技術的特徴３７記載のゴルフクラブヘッド。
技術的特徴５３：
上記反発係数が最大となる点は、上記幾何学フェース中心を含む垂直平面の近くに位置する技術的特徴５２記載のゴルフクラブヘッド。
技術的特徴５４：
上記前面フェースの厚さはソール部位置のほうがクラウン部位置より大きい技術的特徴３７記載のゴルフクラブヘッド。
技術的特徴５５：
上記フェースと離れた配置で高密度の重み部材がソール部と一体となる技術的特徴３７記載のゴルフクラブヘッド。
技術的特徴５６：
上記高密度の重み部材は、全ヘッド重量の約１５％から約２５％を占める技術的特徴５５記載のゴルフクラブヘッド。